(57)【特許請求の範囲】
【請求項１】
主光源が取り付けられる器具本体と、
上記器具本体に内蔵され、外部電源から供給された電力を、主光源を点灯する電力に変換する点灯回路と、
上記器具本体に内蔵され、上記点灯回路及び上記主光源のうち少なくともいずれかが交換時期であるか否かを判定する交換時期判定部と、
第一の表示色で発光する第一の表示部と、第二の表示色で発光する第二の表示部とを有し、上記器具本体に配置される交換時期表示灯と、
上記器具本体に内蔵され、上記交換時期判定部により判定された判定結果を上記交換時期表示灯に表示するか否かを判定する表示判定部と
を有し、
上記交換時期表示灯は、
上記表示判定部により表示すると判定された場合に、上記判定結果が交換時期であることを表わす上記第一の表示色で発光する第一の表示部と、上記判定結果が交換時期でないことを表わす上記第二の表示色で発光する第二の表示部との少なくともいずれかを点灯し、
上記点灯回路は、
上記交換時期表示灯が点灯しているとき、上記主光源を、上記交換時期表示灯が点灯していないときよりも暗く点灯し、もしくは消灯することを特徴とする照明装置。
【請求項２】
上記交換時期表示灯は、上記外部電源からの電力供給が停止した場合に点灯することを特徴とする請求項１に記載の照明装置。
【請求項３】
主光源が取り付けられる器具本体と、
上記器具本体に内蔵され、外部電源から供給された電力を、主光源を点灯する電力に変換する点灯回路と、
上記器具本体に内蔵され、上記点灯回路及び上記主光源のうち少なくともいずれかが交換時期であるか否かを判定する交換時期判定部と、
第一の表示色で発光する第一の表示部と、第二の表示色で発光する第二の表示部とを有し、上記器具本体に配置される交換時期表示灯と、
上記器具本体に内蔵され、上記交換時期判定部により判定された判定結果を上記交換時期表示灯に表示するか否かを判定する表示判定部と
を有し、
上記交換時期表示灯は、
上記表示判定部により表示すると判定された場合に、上記判定結果が交換時期であることを表わす上記第一の表示色で発光する第一の表示部と、上記判定結果が交換時期でないことを表わす上記第二の表示色で発光する第二の表示部との少なくともいずれかを点灯すると共に、上記外部電源からの電力供給が停止した場合に点灯することを特徴とする照明装置。
【請求項４】
上記主光源は、長尺状であり、
上記第一の表示部と上記第二の表示部とは、長尺状の上記主光源に沿って、上記器具本体に配置されることを特徴とする請求項１から３のいずれかに記載の照明装置。
【請求項５】
主光源が取り付けられる器具本体と、
上記器具本体に内蔵され、外部電源から供給された電力を、主光源を点灯する電力に変換する点灯回路と、
上記器具本体に内蔵され、上記点灯回路及び上記主光源のうち少なくともいずれかが交換時期であるか、交換時期ではないが交換時期が近いか、交換時期ではなく交換時期まで余裕があるかを判定する交換時期判定部と、
第一の表示色で発光する第一の表示部と、第二の表示色で発光する第二の表示部と、第三の表示色で発光する第三の表示部とを有し、上記器具本体に配置される交換時期表示灯と、
上記器具本体に内蔵され、上記交換時期判定部により判定された判定結果を上記交換時期表示灯に表示するか否かを判定する表示判定部と
を有し、
上記交換時期表示灯は、
上記表示判定部により表示すると判定された場合に、上記判定結果が交換時期であることを表わす上記第一の表示色で発光する第一の表示部と、上記判定結果が交換時期が近いことを表わす上記第二の表示色で発光する第二の表示部と、交換時期まで余裕があることを表わす上記第三の表示色で発光する第三の表示部との少なくともいずれかを点灯し、
上記点灯回路は、
上記交換時期表示灯が点灯しているとき、上記主光源を、上記交換時期表示灯が点灯していないときよりも暗く点灯し、もしくは消灯することを特徴とする照明装置。
【請求項６】
上記交換時期表示灯は、上記外部電源からの電力供給が停止した場合に点灯することを特徴とする請求項５に記載の照明装置。
【請求項７】
主光源が取り付けられる器具本体と、
上記器具本体に内蔵され、外部電源から供給された電力を、主光源を点灯する電力に変換する点灯回路と、
上記器具本体に内蔵され、上記点灯回路及び上記主光源のうち少なくともいずれかが交換時期であるか、交換時期ではないが交換時期が近いか、交換時期ではなく交換時期まで余裕があるかを判定する交換時期判定部と、
第一の表示色で発光する第一の表示部と、第二の表示色で発光する第二の表示部と、第三の表示色で発光する第三の表示部とを有し、上記器具本体に配置される交換時期表示灯と、
上記器具本体に内蔵され、上記交換時期判定部により判定された判定結果を上記交換時期表示灯に表示するか否かを判定する表示判定部と
を有し、
上記交換時期表示灯は、
上記表示判定部により表示すると判定された場合に、上記判定結果が交換時期であることを表わす上記第一の表示色で発光する第一の表示部と、上記判定結果が交換時期が近いことを表わす上記第二の表示色で発光する第二の表示部と、交換時期まで余裕があることを表わす上記第三の表示色で発光する第三の表示部との少なくともいずれかを点灯すると共に、上記外部電源からの電力供給が停止した場合に点灯することを特徴とする照明装置。
【請求項８】
上記主光源は、長尺状であり、
上記第一の表示部と上記第二の表示部と上記第三の表示部とは、長尺状の上記主光源に沿って、上記器具本体に配置されることを特徴とする請求項５から７のいずれかに記載の照明装置。
【請求項９】
上記交換時期表示灯は、複数の上記表示色すべてで点灯したのち、上記交換時期判定部の判定結果にしたがった表示色で点灯することを特徴とする請求項１から請求項８のいずれかに記載の照明装置。
【請求項１０】
上記照明装置は、
使用者による交換時期表示要求操作が入力される交換時期表示要求操作入力部を有し、
上記交換時期表示灯は、上記交換時期表示要求操作入力部が交換時期表示要求操作を入力した場合に点灯することを特徴とする請求項１から請求項９のいずれかに記載の照明装置。
【発明の詳細な説明】
【技術分野】
【０００１】
この発明は、交換時期を使用者に知らせる照明装置に関する。
【背景技術】
【０００２】
照明装置（照明器具）の点灯回路に使われている電子部品や光源が寿命を迎えると、光源の照度が低下したり、光源が点灯しなくなったりする場合がある。これを避けるため、器具や光源の交換時期を使用者に知らせ、交換を促す必要がある。
そのため、例えば、器具や光源の交換時期を使用者に知らせるための表示灯を設け、器具や光源の交換時期であると判定すると、表示灯を点灯する装置がある。
特に、近年、光源としてＬＥＤ素子を用いた照明装置が普及し始めている。ＬＥＤ素子を用いた照明装置の寿命時間は、蛍光灯を使用した照明装置の寿命時間をはるかに上回り、例えば４万時間（一日１０時間の使用で１０年以上）を超える。
【先行技術文献】
【特許文献】
【０００３】
【特許文献１】特開２００８−２５１４４１号公報
【発明の概要】
【発明が解決しようとする課題】
【０００４】
照明装置の長寿命化により、照明装置の交換時期に達するころには、使用者がその照明装置を購入した時期を覚えていない場合がある。また、表示灯や表示灯を点灯するための回路にも寿命があり、故障する場合がある。器具や光源が交換時期になる前に、表示灯や表示灯を点灯するための回路が故障すると、交換時期を使用者に正しく知らせることができない可能性がある。更に、交換時期に達してから使用者に知らせたのでは、交換時期に達する前に使用者が照明装置の状態を把握できないという課題がある。
この発明は、例えば上記のような課題を解決するためになされたものであり、器具や光源の交換時期を、確実に使用者に知らせることを目的とする。
【課題を解決するための手段】
【０００５】
この発明にかかる照明装置は、外部電源から供給された電力を、主光源を点灯する電力に変換する点灯回路と、上記点灯回路及び上記主光源のうち少なくともいずれかが交換時期であるか否かを判定する交換時期判定部と、交換時期であると上記交換時期判定部が判定した場合に、交換時期であることを表わす第一の表示色で点灯し、交換時期でないと上記交換時期判定部が判定した場合に、交換時期でないことを表わす第二の表示色で点灯する交換時期表示灯とを有することを特徴とする。
【発明の効果】
【０００６】
交換時期に達した場合だけでなく、交換時期に達する前の状態でも、交換時期表示灯が点灯するよう構成されているので、交換時期表示灯の表示色の違いや、交換時期表示灯がが点灯しないことにより、照明装置を交換／修理すべきことを、確実に使用者に知らせることができる。
【図面の簡単な説明】
【０００７】
【図１】実施の形態１における照明装置１００の構成を示すブロック構成図。
【図２】実施の形態１における照明装置１００の外観を示す斜視図。
【図３】実施の形態１における照明装置１００の回路構成を示す回路図。
【図４】実施の形態１における照明装置１００の動作の流れを示すフローチャート図。
【図５】実施の形態１における交換時期判定処理Ｓ５２０の流れを示すフローチャート図。
【図６】実施の形態１における表示判定処理Ｓ５３０の流れを示すフローチャート図。
【図７】実施の形態１における交換時期表示処理Ｓ５６０の流れを示すフローチャート図。
【図８】実施の形態２における照明装置１００の動作の流れを示すフローチャート図。
【図９】実施の形態２における交換時期判定処理Ｓ５２０の流れを示すフローチャート図。
【図１０】実施の形態２における表示判定処理Ｓ５３０の流れを示すフローチャート図。
【図１１】実施の形態２における全表示処理Ｓ５５０の流れを示すフローチャート図。
【図１２】実施の形態２における交換時期表示処理Ｓ５６０の流れを示すフローチャート図。
【図１３】実施の形態２における交換時期表示処理Ｓ６６０の流れを示すフローチャート図。
【図１４】実施の形態３における照明装置１００の回路構成を示す回路図。
【図１５】実施の形態４における照明装置１００の回路構成を示す回路図。
【発明を実施するための形態】
【０００８】
実施の形態１．
実施の形態１について、図１〜図７を用いて説明する。
【０００９】
図１は、この実施の形態における照明装置１００の構成を示すブロック構成図である。
照明装置１００は、外部電源ＡＣから供給された電力により、主光源ＬＡを点灯する。外部電源ＡＣは、例えば商用電源などの交流電源である。外部電源ＡＣと照明装置１００との間には、例えば電源スイッチＳＷ（入力電源スイッチ）が介在している。使用者は、電源スイッチＳＷをオンオフすることにより、照明装置１００の主光源ＬＡを点灯あるいは消灯する。
主光源ＬＡは、照明装置１００から供給された電力により発光する光源である。主光源ＬＡは、例えばＬＥＤや有機ＥＬなど直流電力により発光する光源であってもよいし、放電灯など交流電力により発光する光源であってもよい。主光源ＬＡは、照明装置１００に着脱自在に取り付けられる。なお、主光源ＬＡは、照明装置１００の一部として、照明装置１００に固定された構成であってもよい。
照明装置１００は、例えば、主光源点灯回路１１０と、交換時期判定部１３０と、表示判定部１４０と、表示灯点灯回路１５０と、交換時期表示灯１６０とを有する。
主光源点灯回路１１０（点灯回路）は、外部電源ＡＣから供給された電力を、主光源ＬＡに対して供給する電力に変換する。主光源点灯回路１１０は、例えば電力変換回路である。
交換時期判定部１３０は、主光源点灯回路１１０や主光源ＬＡの交換時期を判定する。交換時期とは、主光源点灯回路１１０や主光源ＬＡがいつ寿命を迎えてもおかしくない状態をいう。交換時期判定部１３０は、例えば、交換時期であるか否かの２段階、もしくは、交換時期までまだ余裕があるか交換時期が近いか交換時期かの３段階で交換時期を判定する。交換時期判定部１３０は、例えば、外部電源ＡＣから主光源点灯回路１１０に電力が供給されている時間や、主光源ＬＡが点灯している時間などを測定し、測定した時間に基づいて交換時期を判定する。交換時期判定部１３０は、例えば判定結果を表す信号を出力する。
交換時期表示灯１６０（ＬＥＤ表示部）は、交換時期判定部１３０が判定した判定結果を表示する。交換時期表示灯１６０は、例えば表示用ＬＥＤなど、主光源ＬＡとは別に設けられた光源である。交換時期表示灯１６０は、例えば色の違いで判定結果を表わす。交換時期表示灯１６０は、例えば交換時期である場合を赤（第一の表示色）、交換時期が近い場合を黄（第二の表示色）、交換時期まで余裕がある場合を緑（第三の表示色）で表わす。交換時期表示灯１６０は、表示灯点灯回路１５０から供給された電力により点灯する。あるいは、交換時期表示灯１６０は、３段階の場合分けではなく、２段階の場合分けで表示色を変える構成であってもよい。例えば交換時期である場合を赤（第一の表示色）、交換時期でない場合（交換時期が近い場合と交換時期まで余裕がある場合とを含む）を緑（第二の表示色）で表わす。以下では、３段階の場合分けをする構成を主に説明するが、これに限定する意図ではない。
表示判定部１４０は、交換時期判定部１３０が判定した判定結果を交換時期表示灯１６０に表示させるか否かを判定する。例えば、表示判定部１４０（交換時期表示操作入力部）は、使用者の操作にしたがって、交換時期判定部１３０の判定結果を交換時期表示灯１６０に表示させるか否かを判定する。例えば、表示判定部１４０は、使用者が操作する交換時期表示スイッチを有し、使用者が交換時期表示スイッチを押している間、交換時期判定部１３０の判定結果を交換時期表示灯１６０に表示させると判定する。あるいは、表示判定部１４０は、使用者が操作するリモコンからの信号を受信して、リモコンに設けられた交換時期表示スイッチを使用者が押している場合に、交換時期判定部１３０の判定結果を交換時期表示灯１６０に表示させると判定する。あるいは、表示判定部１４０は、外部電源ＡＣから照明装置１００に電力が供給されているか否かを判定することにより、使用者による電源スイッチＳＷの操作を取得し、取得した操作に基づいて、交換時期判定部１３０の判定結果を交換時期表示灯１６０に表示させるか否かを判定する。例えば、使用者による電源スイッチＳＷの操作パターンが所定の操作パターン（例えばオンオフを所定時間以内に所定回数繰り返すなど通常の点灯操作や消灯操作と異なる特殊な操作パターン）である場合に、表示判定部１４０は、交換時期判定部１３０の判定結果を交換時期表示灯１６０に表示させると判定する。あるいは、表示判定部１４０は、外部電源ＡＣからの電力供給が開始した直後や、外部電源ＡＣからの電力供給が停止した直後に、交換時期判定部１３０の判定結果を交換時期表示灯１６０に表示させると判定する。
なお、表示判定部１４０は、交換時期判定部１３０の判定結果を交換時期表示灯１６０に表示させると判定したのち、所定の時間（例えば３秒）が経過するまでの間、交換時期判定部１３０の判定結果を交換時期表示灯１６０に表示させるとの判定を続け、その後、交換時期判定部１３０の判定結果を交換時期表示灯１６０に表示させないと判定する構成であってもよい。
表示判定部１４０は、判定結果に基づいて、表示灯点灯回路１５０を制御する信号を出力する。交換時期判定部１３０の判定結果を表示させると判定した場合、表示判定部１４０は、交換時期判定部１３０の判定結果を表わす信号を出力する。交換時期判定部１３０の判定結果を表示させないと判定した場合、表示判定部１４０は、表示灯点灯回路１５０の動作を停止させる信号を出力する。
表示灯点灯回路１５０は、交換時期表示灯１６０に対して電力を供給する。表示灯点灯回路１５０は、例えば、外部電源ＡＣから供給された電力を、交換時期表示灯１６０に供給する電力に変換する。表示灯点灯回路１５０は、表示判定部１４０からの信号にしたがって、交換時期表示灯１６０を点灯あるいは消灯する。
【００１０】
図２は、この実施の形態における照明装置１００の外観を示す斜視図である。
照明装置１００は、例えば、器具本体１と、ソケット３と、第一表示部４と、第二表示部５と、第三表示部６とを有する。器具本体１は、主光源点灯回路１１０などを内蔵する。ソケット３は、主光源ＬＡを着脱自在に固定し、主光源ＬＡを主光源点灯回路１１０に電気接続する。３つの表示部４〜６は、交換時期表示灯１６０の一例である。表示部４は、緑色に発光するＬＥＤを有する。表示部５は、黄色に発光するＬＥＤを有する。表示部６は、赤色に発光するＬＥＤを有する。このように表示部を発光色によって分割することにより、交換時期表示灯１６０は、発光色だけでなく、発光位置によっても交換時期の判定結果を表わす。
【００１１】
図３は、この実施の形態における照明装置１００の回路構成を示す回路図である。
照明装置１００は、主光源点灯回路１１０と、電源回路１２０と、表示灯点灯回路１５０と、交換時期表示灯１６０と、入力電源検出回路１７０と、点灯制御回路１８０とを有する。
電源回路１２０は、外部電源ＡＣから供給された電力を、直流電力に変換する。電源回路１２０は、例えば、入力フィルタ回路１２１と、全波整流回路１２２と、昇圧チョッパ回路１２３と、平滑コンデンサ１２４とを有する。入力フィルタ回路１２１は、照明装置１００の外部から電源回路１２０にノイズが侵入するのを防ぐとともに、昇圧チョッパ回路１２３で発生したノイズが照明装置１００の外部に漏れるのを防ぐ。全波整流回路１２２は、外部電源ＡＣから供給される交流電力を全波整流する。昇圧チョッパ回路１２３は、全波整流回路１２２が整流した脈流を昇圧して、直流にする。平滑コンデンサ１２４は、昇圧チョッパ回路１２３が生成した直流を平滑する。平滑コンデンサ１２４は、比較的容量が大きいコンデンサであり、外部電源ＡＣからの電力供給が停止したあと所定の時間（例えば数秒間）は、点灯制御回路１８０や表示灯点灯回路１５０を動作させることができる。
入力電源検出回路１７０は、外部電源ＡＣから照明装置１００に電力が供給されているか否かを検出する。
点灯制御回路１８０は、主光源点灯回路１１０や表示灯点灯回路１５０を制御することにより、主光源ＬＡや交換時期表示灯１６０の点灯状態を制御する。点灯制御回路１８０は、例えばマイコンである。点灯制御回路１８０は、プログラムやデータを記憶する不揮発性メモリや揮発性メモリを有する。点灯制御回路１８０は、不揮発性メモリを用いてあらかじめ記憶したプログラムを実行することにより、上述した交換時期判定部１３０や表示判定部１４０として機能する。点灯制御回路１８０は、電源回路１２０が変換した直流電力により動作する。
主光源点灯回路１１０は、電源回路１２０が変換した直流電力を、主光源ＬＡに対して供給する電力に変換する。主光源点灯回路１１０は、点灯制御回路１８０による制御にしたがって動作する。主光源点灯回路１１０は、例えば、点灯制御回路１８０による制御にしたがって、主光源ＬＡを点灯あるいは消灯し、もしくは、主光源ＬＡを点灯する明るさを変化させる。
表示灯点灯回路１５０は、点灯制御回路１８０による制御にしたがって動作する。表示灯点灯回路１５０は、例えば、点灯制御回路１８０による制御にしたがって、交換時期表示灯１６０の表示部４〜６を点灯あるいは消灯する。表示灯点灯回路１５０は、電源回路１２０が変換した直流電力により動作する。
【００１２】
図４は、この実施の形態における照明装置１００の動作の流れを示すフローチャート図である。
【００１３】
照明装置１００は、電源スイッチＳＷがオンになって電源が投入されると、まず、点灯処理Ｓ５１０を実行する。
点灯処理Ｓ５１０において、主光源点灯回路１１０は、外部電源ＡＣから供給される電力を、主光源ＬＡに対して供給する電力に変換する。これにより、主光源ＬＡが点灯する。
交換時期判定処理Ｓ５２０において、点灯制御回路１８０（交換時期判定部１３０）は、主光源点灯回路１１０や主光源ＬＡの交換時期を判定する。
表示判定処理Ｓ５３０において、点灯制御回路１８０（表示判定部１４０）は、交換時期を表示するか否かを判定する。表示すると判定した場合、照明装置１００は、交換時期表示処理Ｓ５６０へ処理を進める。表示しないと判定した場合、照明装置１００は、消灯判定処理Ｓ５８０へ処理を進める。
交換時期表示処理Ｓ５６０において、表示灯点灯回路１５０は、交換時期判定処理Ｓ５２０での判定結果にしたがって、交換時期表示灯１６０を点灯する。
消灯判定処理Ｓ５８０において、点灯制御回路１８０は、主光源ＬＡを消灯するか否かを判定する。例えば、点灯制御回路１８０は、入力電源検出回路１７０の検出結果に基づいて、外部電源ＡＣからの電力供給が所定の時間（例えば１秒）以上ない場合、主光源ＬＡを消灯すると判定する。消灯すると判定した場合、照明装置１００は、消灯処理Ｓ５９０へ処理を進める。消灯しないと判定した場合、照明装置１００は、交換時期判定処理Ｓ５２０に処理を戻す。
消灯処理Ｓ５９０において、主光源点灯回路１１０は、動作を停止する。これにより、主光源ＬＡが消灯する。
【００１４】
図５は、この実施の形態における交換時期判定処理Ｓ５２０の流れを示すフローチャート図である。
この例において、点灯制御回路１８０（交換時期判定部１３０）は、外部電源ＡＣからの電力供給がある時間（通電時間）を累計することにより、主光源点灯回路１１０の交換時期を判定する。
交換時期判定処理Ｓ５２０は、例えば、通電判定工程Ｓ５２１と、通電時間累積工程Ｓ５２２と、交換時期判定工程Ｓ５２９とを有する。
通電判定工程Ｓ５２１において、点灯制御回路１８０は、入力電源検出回路１７０の検出結果に基づいて、外部電源ＡＣからの電力供給があるか否かを判定する。外部電源ＡＣからの電力供給がある（通電状態である）場合、照明装置１００は、通電時間累積工程Ｓ５２２へ処理を進める。外部電源ＡＣからの電力供給がない（通電状態でない）場合、照明装置１００は、交換時期判定工程Ｓ５２９へ処理を進める。
通電時間累積工程Ｓ５２２において、点灯制御回路１８０は、通電時間を累積する。点灯制御回路１８０は、不揮発性メモリを用いて、通電時間を記憶している。点灯制御回路１８０は、記憶した通電時間に基づいて、通電時間を累積する。点灯制御回路１８０は、累積した通電時間を、再び不揮発性メモリなどを用いて記憶する。
交換時期判定工程Ｓ５２９において、点灯制御回路１８０は、記憶した通電時間に基づいて、主光源点灯回路１１０の交換時期を判定する。例えば、点灯制御回路１８０は、通電時間を、所定の第一閾値（例えば４万時間）と比較する。通電時間が第一閾値より大きい場合、点灯制御回路１８０は、主光源点灯回路１１０が交換時期である（交換期間）と判定する。通電時間が第一閾値より小さい場合、点灯制御回路１８０は、通電時間を、第一閾値より小さい所定の第二閾値（例えば３万時間）と比較する。通電時間が第二閾値より大きい場合、点灯制御回路１８０は、主光源点灯回路１１０の交換時期が近い（寿命予告期間）と判定する。通電時間が第二閾値より小さい場合、点灯制御回路１８０は、主光源点灯回路１１０の交換時期までまだ余裕がある（耐用期間）と判定する。
【００１５】
図６は、この実施の形態における表示判定処理Ｓ５３０の流れを示すフローチャート図である。
この例において、点灯制御回路１８０（表示判定部１４０）は、電源スイッチＳＷが所定の操作パターンで操作された場合に、交換時期の判定結果を表示すると判定する。
表示判定処理Ｓ５３０は、例えば、表示要求操作判定工程Ｓ５３２を有する。
表示要求操作判定工程Ｓ５３２において、点灯制御回路１８０は、入力電源検出回路１７０の検出結果に基づいて、電源スイッチＳＷが所定の操作パターンで操作されたか否かを判定する。所定の操作パターンで操作されたと判定した場合、照明装置１００は、交換時期表示処理Ｓ５６０へ処理を進める。所定の操作パターンでの操作がないと判定した場合、照明装置１００は、消灯判定処理Ｓ５８０へ処理を進める。
【００１６】
図７は、この実施の形態における交換時期表示処理Ｓ５６０の流れを示すフローチャート図である。
交換時期表示処理Ｓ５６０は、例えば、交換時期分岐工程Ｓ５６１と、第一表示点灯工程Ｓ５６２と、第二表示点灯工程Ｓ５６３と、第三表示点灯工程Ｓ５６４と、時間経過待ち工程Ｓ５６５と、表示消灯工程Ｓ５６６とを有する。
交換時期分岐工程Ｓ５６１において、点灯制御回路１８０は、交換時期判定処理Ｓ５２０での判定結果に基づいて、処理を分岐する。交換時期まで余裕ありとの判定結果の場合、照明装置１００は、第一表示点灯工程Ｓ５６２へ処理を進める。交換時期が近いとの判定結果の場合、照明装置１００は、第二表示点灯工程Ｓ５６３へ処理を進める。交換時期であるとの判定結果の場合、照明装置１００は、第三表示点灯工程Ｓ５６４へ処理を進める。
第一表示点灯工程Ｓ５６２において、表示灯点灯回路１５０は、表示部４（緑）を点灯し、表示部５（黄）、表示部６（赤）は点灯しない。照明装置１００は、時間経過待ち工程Ｓ５６５へ処理を進める。
第二表示点灯工程Ｓ５６３において、表示灯点灯回路１５０は、表示部５（黄）を点灯し、表示部４（緑）、表示部６（赤）は点灯しない。照明装置１００は、時間経過待ち工程Ｓ５６５へ処理を進める。
第三表示点灯工程Ｓ５６４において、表示灯点灯回路１５０は、表示部６（赤）を点灯し、表示部４（緑）、表示部５（黄）は点灯しない。照明装置１００は、時間経過待ち工程Ｓ５６５へ処理を進める。
時間経過待ち工程Ｓ５６５において、表示灯点灯回路１５０は、所定の時間（例えば３秒）が経過するのを待つ。所定の時間が経過した場合、照明装置１００は、表示消灯工程Ｓ５６６へ処理を進める。
表示消灯工程Ｓ５６６において、表示灯点灯回路１５０は、表示部４〜６をすべて消灯する。
【００１７】
このように、交換時期判定部１３０の判定結果にしたがって、交換時期表示灯１６０は、いずれかの表示部４〜６を点灯する。交換時期である場合や、交換時期が近い場合だけでなく、交換時期まで余裕がある場合でも、交換時期表示灯１６０が点灯する。
【００１８】
通常、照明装置１００において、主光源点灯回路１１０や主光源ＬＡが最も寿命が短いと想定される。しかし、主光源点灯回路１１０や主光源ＬＡが交換時期になるよりも前に、交換時期表示灯１６０など照明装置１００の他の部分が故障する可能性もある。
例えば、表示部６が故障して点灯しなくなった場合、主光源点灯回路１１０や主光源ＬＡが交換時期になっても、表示部６が点灯しないので、交換時期であることを表示できない。しかし、いずれかの表示部４〜６が点灯するはずなのに、いずれの表示部４〜６も点灯しないので、照明装置１００のどこかに不具合があることを、使用者に知らせることができる。このため、使用者は、照明装置１００を修理あるいは交換すべきことを認識することができる。
【００１９】
なお、交換時期表示灯１６０は、独立した表示部４〜６ではなく、１つの表示部を有し、表示部が点灯するときの色の変化だけで交換時期の判定結果を表示する構成であってもよい。例えば、交換時期表示灯１６０は、発光色が異なる３つもしくは２つのＬＥＤと、全体を覆う拡散透過性のカバーとを有する構成であってもよい。その場合、発光色が異なる２つのＬＥＤ（例えば赤と緑）が同時に発光することにより、２つのＬＥＤの発した光が混色して３つ目の発光色（例えば橙）を作ることができるので、２つのＬＥＤで３つの状態を区別して表示することができる。
【００２０】
また、照明装置１００は、時間経過待ち工程Ｓ５６５における待ち時間を、交換時期判定処理Ｓ５２０での判定結果にしたがって変化させる構成であってもよい。例えば、交換時期まで余裕がある場合は待ち時間を短くし、逆に、交換時期である場合は待ち時間を長くする。そうすれば、交換時期表示灯１６０の発光色や発光位置だけでなく、交換時期表示灯１６０が点灯している時間によっても、交換時期の判定結果を表わすことができるので、交換時期であることを使用者に確実に知らせることができる。
【００２１】
なお、交換時期であるか否かの２段階の場合分けにより、交換時期判定部１３０が判定し、交換時期表示灯１６０が表示色を変更する構成の場合については、上記説明から明らかであるので、説明を省略する。
また、例えば、交換時期までの余裕がどれくらいあるかを更に細かく区別し、４段階あるいはそれ以上の段階の場合分けにより、交換時期判定部１３０が判定し、交換時期表示灯１６０が表示色を変更する構成としてもよい。
【００２２】
実施の形態２．
実施の形態２について、図８〜図１３を用いて説明する。
なお、実施の形態１と共通する部分については、同一の符号を付し、説明を省略する。
【００２３】
図８は、この実施の形態における照明装置１００の動作の流れを示すフローチャート図である。
【００２４】
表示判定処理Ｓ５３０で表示すると判定した場合、照明装置１００は、減光処理Ｓ５４０へ処理を進める。
減光処理Ｓ５４０において、主光源点灯回路１１０は、主光源ＬＡへ供給する電力を小さくする。これにより、主光源ＬＡは、通常時よりも暗く点灯する。
全表示処理Ｓ５５０において、表示灯点灯回路１５０は、すべての表示部４〜６を点灯する。
交換時期表示処理Ｓ５６０において、表示灯点灯回路１５０は、交換時期判定処理Ｓ５２０での判定結果にしたがって、交換時期表示灯１６０を点灯する。交換時期表示灯１６０が交換時期を表示している間に消灯操作が行われた場合、照明装置１００は、消灯処理Ｓ６９０へ処理を進める。それ以外の場合、照明装置１００は、復帰処理Ｓ５７０へ処理を進める。
復帰処理Ｓ５７０において、主光源点灯回路１１０は、減光処理Ｓ５４０で小さくした主光源ＬＡへ供給する電力を元に戻す。これにより、主光源ＬＡは、通常時と同じ明るさに戻る。照明装置１００は、交換時期判定処理Ｓ５２０へ処理を戻す。
消灯処理Ｓ６９０において、主光源点灯回路１１０は、動作を停止する。これにより、主光源ＬＡが消灯する。
【００２５】
消灯処理Ｓ５９０ののち、照明装置１００は、全表示処理Ｓ６５０へ処理を進める。
全表示処理Ｓ６５０において、表示灯点灯回路１５０は、すべての表示部４〜６を点灯する。
交換時期表示処理Ｓ６６０において、表示灯点灯回路１５０は、交換時期判定処理Ｓ５２０での判定結果にしたがって、交換時期表示灯１６０を点灯する。
【００２６】
図９は、この実施の形態における交換時期判定処理Ｓ５２０の流れを示すフローチャート図である。
この例において、点灯制御回路１８０（交換時期判定部１３０）は、主光源ＬＡが点灯している時間（点灯時間）を累計することにより、主光源ＬＡの交換時期を判定する。
交換時期判定処理Ｓ５２０は、交換判定工程Ｓ５２４と、点灯時間初期化工程Ｓ５２５と、点灯判定工程Ｓ５２６と、点灯時間累積工程Ｓ５２７と、交換時期判定工程Ｓ５２９とを有する。
交換判定工程Ｓ５２４において、点灯制御回路１８０は、主光源ＬＡが交換されたか否かを判定する。交換されたと判定した場合、照明装置１００は、点灯時間初期化工程Ｓ５２５へ処理を進める。交換されていないと判定した場合、照明装置１００は、点灯判定工程Ｓ５２６へ処理を進める。
点灯時間初期化工程Ｓ５２５において、点灯制御回路１８０は、点灯時間を初期化する。点灯制御回路１８０は、不揮発性メモリを用いて、点灯時間を記憶している。点灯制御回路１８０は、記憶した点灯時間を初期化して、０にする。点灯制御回路１８０は、初期化した点灯時間を、不揮発性メモリを用いて記憶する。
点灯判定工程Ｓ５２６において、点灯制御回路１８０は、主光源ＬＡが点灯しているか否かを判定する。点灯していると判定した場合、照明装置１００は、点灯時間累積工程Ｓ５２７へ処理を進める。点灯していないと判定した場合、照明装置１００は、交換時期判定工程Ｓ５２９へ処理を進める。
点灯時間累積工程Ｓ５２７において、点灯制御回路１８０は、点灯時間を累積する。点灯制御回路１８０は、記憶した点灯時間に基づいて、点灯時間を累積する。点灯制御回路１８０は、累積した点灯時間を、再び不揮発性メモリなどを用いて記憶する。
交換時期判定工程Ｓ５２９において、点灯制御回路１８０は、記憶した点灯時間に基づいて、主光源ＬＡの交換時期を判定する。例えば、点灯制御回路１８０は、点灯時間を、所定の第一閾値（例えば４万時間）と比較する。点灯時間が第一閾値より大きい場合、点灯制御回路１８０は、主光源ＬＡが交換時期であると判定する。点灯時間が第一閾値より小さい場合、点灯制御回路１８０は、点灯時間を、第一閾値より小さい所定の第二閾値（例えば３万時間）と比較する。点灯時間が第二閾値より大きい場合、点灯制御回路１８０は、主光源ＬＡの交換時期が近いと判定する。点灯時間が第二閾値より小さい場合、点灯制御回路１８０は、主光源ＬＡの交換時期までまだ余裕があると判定する。
【００２７】
図１０は、この実施の形態における表示判定処理Ｓ５３０の流れを示すフローチャート図である。
この例において、点灯制御回路１８０（表示判定部１４０）は、交換時期判定処理Ｓ５２０で交換時期であると判定した場合、強制的に、判定結果を表示すると判定する。
表示判定処理Ｓ５３０は、例えば、交換時期分岐工程Ｓ５３１と、表示要求操作判定工程Ｓ５３２とを有する。
交換時期分岐工程Ｓ５３１において、点灯制御回路１８０は、交換時期判定処理Ｓ５２０での判定結果に基づいて、交換時期であるか否かを判定する。交換時期であると判定した場合、点灯制御回路１８０は、減光処理Ｓ５４０へ処理を進める。交換時期でない（交換時期まで余裕あり、もしくは、交換時期が近い）と判定した場合、照明装置１００は、表示要求操作判定工程Ｓ５３２へ処理を進める。
【００２８】
図１１は、この実施の形態における全表示処理Ｓ５５０の流れを示すフローチャート図である。
全表示処理Ｓ５５０は、例えば、全表示点灯工程Ｓ５５１と、時間経過待ち工程Ｓ５５２と、表示消灯工程Ｓ５５３とを有する。
全表示点灯工程Ｓ５５１において、表示灯点灯回路１５０は、表示部４〜６をすべて点灯する。
時間経過待ち工程Ｓ５５２において、表示灯点灯回路１５０は、所定の時間（例えば１秒）が経過するのを待つ。所定の時間が経過した場合、照明装置１００は、表示消灯工程Ｓ５５３へ処理を進める。
表示消灯工程Ｓ５５３において、表示灯点灯回路１５０は、表示部４〜６をすべて消灯する。
【００２９】
図１２は、この実施の形態における交換時期表示処理Ｓ５６０の流れを示すフローチャート図である。
交換時期表示処理Ｓ５６０は、実施の形態１で説明した工程に加えて、更に、主光源消灯待ち工程Ｓ５６７と、表示消灯工程Ｓ５６８とを有する。
第三表示点灯工程Ｓ５６４ののち、照明装置１００は、主光源消灯待ち工程Ｓ５６７へ処理を進める。
主光源消灯待ち工程Ｓ５６７において、点灯制御回路１８０は、入力電源検出回路１７０の検出結果に基づいて、使用者が電源スイッチＳＷをオフにするのを待つ。電源スイッチＳＷがオフになった場合、照明装置１００は、表示消灯工程Ｓ５６８へ処理を進める。
表示消灯工程Ｓ５６８において、表示灯点灯回路１５０は、表示部４〜６をすべて消灯する。照明装置１００は、消灯処理Ｓ６９０へ処理を進める。
【００３０】
図１３は、この実施の形態における交換時期表示処理Ｓ６６０の流れを示すフローチャート図である。
交換時期表示処理Ｓ６６０は、例えば、交換時期分岐工程Ｓ６６１と、第一表示点灯工程Ｓ６６２と、第二表示点灯工程Ｓ６６３と、第三表示点灯工程Ｓ６６４と、時間経過待ち工程Ｓ６６５と、表示消灯工程Ｓ６６６とを有する。
この例における交換時期表示処理Ｓ６６０は、実施の形態１で説明した交換時期表示処理Ｓ５６０と同様である。
【００３１】
このように、交換時期表示灯１６０が交換時期の判定結果を表示するとき、主光源ＬＡを暗くするので、交換時期表示灯１６０の表示が見やすくなる。交換時期表示灯１６０に、比較的照度の低いＬＥＤを使うことができるので、照明装置１００の製造コストを抑えることができる。また、主光源ＬＡが暗くなることにより、交換時期表示操作を照明装置１００が受け付けたことを、使用者に知らせることができる。なお、照明装置１００は、交換時期の判定結果を表示するとき、主光源ＬＡを暗くするのではなく、主光源ＬＡを一時的に消灯する構成であってもよい。
【００３２】
また、交換時期の判定結果を表示する前に、表示部４〜６をすべて点灯するので、交換時期表示操作を照明装置１００が受け付けたことを、使用者に知らせることができる。
更に、いずれかの表示部４〜６が故障して点灯しなくなった場合、どの表示部４〜６が故障しているかがわかる。例えば、すべての表示部４〜６が点灯するはずなのに、表示部４だけが点灯しない場合、表示部４が故障していることがわかる。このため、交換時期の判定結果を表示するときに、いずれの表示部４〜６も点灯しない場合でも、判定結果を使用者に知らせることができる。例えば、表示部４が故障していることがわかっている場合、いずれかの表示部４〜６が点灯するはずなのに、いずれの表示部４〜６も点灯しなければ、本来点灯するべきは表示部４であり、交換時期まで余裕があることがわかる。また、表示部６が故障していることがわかっている場合なら、交換時期であることがわかる。
【００３３】
なお、照明装置１００は、全表示処理Ｓ５５０で表示部４〜６をすべて同時に点灯するのではなく、１つずつ順番に点灯する構成であってもよい。
また、照明装置１００は、全表示処理Ｓ５５０で表示部４〜６を点灯して消灯したのち、交換時期表示処理Ｓ５６０で判定結果にしたがった表示部４〜６を点灯するのではなく、全表示処理Ｓ５５０で表示部４〜６を点灯したのち、交換時期表示処理Ｓ５６０で判定結果にしたがった表示部４〜６だけを残して、他の表示部４〜６を消灯する構成であってもよい。
【００３４】
また、使用者による操作がなくても、主光源ＬＡを消灯するとき、交換時期の判定結果を自動的に表示するので、交換時期の判定結果を使用者に知らせることができる。これにより、使用者が交換時期の確認を怠った場合でも、交換時期が近いことなどを確実に使用者に知らせることができる。
更に、消灯時に必ず交換時期表示灯１６０が点灯することを使用者が学習する学習効果が見込めるので、交換時期表示灯１６０が点灯しなくなった場合に、使用者が故障と認識し、修理や交換など必要な措置を講じることが期待できる。
【００３５】
また、交換時期であるとの判定結果の場合、使用者による操作や、主光源ＬＡの消灯がなくても、自動的に判定結果を表示するので、交換時期であることを確実に使用者に知らせることができる。
更に、交換時期であるとの判定結果を表示した場合、所定の時間が経過しても復帰せず、使用者が主光源ＬＡを消灯するまで表示を続けるので、交換時期であることを確実に使用者に知らせ、修理や交換など必要な措置を講じさせることができる。
なお、照明装置１００は、交換時期であることによる強制表示の場合、主光源ＬＡを暗くしない構成であってもよい。あるいは、照明装置１００は、所定の時間が経過したのち、交換時期であることの表示を続けたまま、主光源ＬＡの明るさだけを元の明るさに戻す構成であってもよい。そうすれば、主光源ＬＡなどを交換するまでの間、照度が不足することなく照明装置１００を使い続けることができる。
【００３６】
実施の形態３．
実施の形態３について、図１４を用いて説明する。
なお、実施の形態１または実施の形態２と共通する部分については、同一の符号を付し、説明を省略する。
【００３７】
図１４は、この実施の形態における照明装置１００の回路構成を示す回路図である。
照明装置１００は、実施の形態１で説明した構成に加えて、リモコン受信回路１９１を有する。
リモコン受信回路１９１（交換時期表示操作入力部）は、リモコン２１０が送信した信号を受信する。リモコン２１０は、使用者の操作にしたがって、例えば赤外線信号などを送信する。リモコン２１０には、照明装置１００に交換時期を表示させるための交換時期表示ボタンが設けられている。使用者が交換時期表示ボタンを押すと、リモコン２１０は、交換時期表示ボタンが押されたことを表わす信号を送信する。
点灯制御回路１８０（表示判定部１４０）は、リモコン受信回路１９１が受信した信号に基づいて、リモコン２１０の交換時期表示ボタンが押されたか否かを判定する。交換時期表示ボタンが押されたと判定した場合、点灯制御回路１８０は、交換時期の判定結果を表示すると判定する。
【００３８】
このように、照明装置１００は、リモコン２１０に設けた交換時期表示ボタンを使用者が押すことにより、交換時期の判定結果を表示する構成であってもよい。
【００３９】
実施の形態４．
実施の形態４について、図１５を用いて説明する。
なお、実施の形態１〜実施の形態３と共通する部分については、同一の符号を付し、説明を省略する。
【００４０】
図１５は、この実施の形態における照明装置１００の回路構成を示す回路図である。
照明装置１００は、実施の形態１で説明した構成に加えて、更に、スイッチ検出回路１９２を有する。
スイッチ検出回路１９２（交換時期表示操作入力部）は、押しボタン２２０（外部スイッチ）と接続されている。スイッチ検出回路１９２は、押しボタン２２０の状態を検出する。押しボタン２２０は、照明装置１００に交換時期を表示させるためのスイッチであり、電源スイッチＳＷとは別に設けられている。
点灯制御回路１８０（表示判定部１４０）は、スイッチ検出回路１９２の検出結果に基づいて、押しボタン２２０が押されている場合に、交換時期の判定結果を表示すると判定する。
【００４１】
このように、照明装置１００は、外部に設けた押しボタン２２０を使用者が押すことにより、交換時期の判定結果を表示する構成であってもよい。
【００４２】
なお、照明装置１００は、押しボタン２２０が押されていない場合に交換時期の判定結果を表示すると判定する構成であってもよいし、押しボタン２２０が所定の操作パターンにしたがって押された場合（例えば、押しボタン２２０を所定の時間内に所定の回数押すなど）に、交換時期の判定結果を表示すると判定する構成であってもよい。
また、押しボタン２２０は、照明装置１００の外部に設けるのではなく、照明装置１００が押しボタン２２０を有する構成であってもよい。
【００４３】
以上、各実施の形態で説明した構成は一例であり、これに限るものではない。例えば、異なる実施の形態で説明した構成を組み合わせた構成としてもよいし、重要でない部分の構成を他の構成で置き換えた構成としてもよい。
【符号の説明】
【００４４】
１  器具本体、３  ソケット、４，５，６  表示部、１００  照明装置、１１０  主光源点灯回路、１２０  電源回路、１２１  入力フィルタ回路、１２２  全波整流回路、１２３  昇圧チョッパ回路、１２４  平滑コンデンサ、１３０  交換時期判定部、１４０  表示判定部、１５０  表示灯点灯回路、１６０  交換時期表示灯、１７０  入力電源検出回路、１８０  点灯制御回路、１９１  リモコン受信回路、１９２  スイッチ検出回路、２１０  リモコン、２２０  押しボタン、ＡＣ  外部電源、ＬＡ  主光源、ＳＷ  電源スイッチ。
【図１】
0005822472.tif 000002
【図２】
0005822472.tif 000003
【図３】
0005822472.tif 000004
【図４】
0005822472.tif 000005
【図５】
0005822472.tif 000006
【図６】
0005822472.tif 000007
【図７】
0005822472.tif 000008
【図８】
0005822472.tif 000009
【図９】
0005822472.tif 000010
【図１０】
0005822472.tif 000011
【図１１】
0005822472.tif 000012
【図１２】
0005822472.tif 000013
【図１３】
0005822472.tif 000014
【図１４】
0005822472.tif 000015
【図１５】
0005822472.tif 000016